【手続補正書】
【提出日】平成27年9月17日(2015.9.17)
【手続補正１】
【補正対象書類名】特許請求の範囲
【補正対象項目名】全文
【補正方法】変更
【補正の内容】
【特許請求の範囲】
【請求項１】
サブ１ギガヘルツワイヤレスネットワークを介して通信する間使用するための１つまたは複数のデータ構造を記憶し、前記１つまたは複数のデータ構造は、前記サブ１ギガヘルツワイヤレスネットワークの１つまたは複数の利用可能な帯域幅および前記サブ１ギガヘルツワイヤレスネットワークの１つまたは複数の利用可能な空間ストリームに対応し、
前記サブ１ギガヘルツワイヤレスネットワークの前記１つまたは複数の利用可能な帯域幅は、１メガヘルツの帯域幅を含み、
各データ構造は、複数の変調およびコーディングスキーム（ＭＣＳ）インデックスの各々に対して、
前記ＭＣＳインデックスを含むパケットの変調スキームと、
前記パケットを符号化するコーディングレートと、
前記パケットにおけるサブキャリアシンボル当たりのビットの数と、
前記パケットにおけるデータシンボルの数と、
前記パケットにおけるパイロットシンボルの数と
前記パケットにおける直交周波数分割多重（ＯＦＤＭ）シンボル当たりのコード化されたビットの数と、
前記パケットにおけるＯＦＤＭシンボルあたりのデータビットの数と、
を示し、
前記１つまたは複数のデータ構造のうちの少なくとも１つは、前記１メガヘルツの帯域幅に対して、１つの空間ストリームが使用されるとき、
前記ＭＣＳインデックスが１０であるとき、前記変調スキームは、２位相偏移変調（ＢＰＳＫ）であり、サブキャリアシンボル当たりの前記ビットの数は、１であり、ＯＦＤＭシンボル当たりの前記コード化されたビットの数は、２６であり、ＯＦＤＭシンボル当たりの前記データビットの数は、６であることを示す、
非一時的プロセッサ可読媒体。
【請求項２】
各データ構造は、前記複数のＭＣＳインデックスの各々に対して、
符号化器の数と、
前記パケットに関連付けられた少なくとも１つのデータレートと
をさらに示し、
前記データ構造の全ては、前記複数のＭＣＳインデックスの各々に対して、単一符号化器が前記パケットを符号化することを示す、請求項１に記載の非一時的プロセッサ可読媒体。
【請求項３】
前記少なくとも１つのデータレートは、前記パケットにおける第１のガードインターバルに関連する第１のデータレートと、前記パケットにおける第２のガードインターバルに関連する第２のデータレートとを含む、請求項２に記載の非一時的プロセッサ可読媒体。
【請求項４】
前記第１のガードインターバルは各々、８マイクロ秒の継続時間を有し、前記第２のガードインターバルは各々、４マイクロ秒の継続時間を有する、請求項３に記載の非一時的プロセッサ可読媒体。
【請求項５】
前記データシンボルの数は２４である、請求項１に記載の非一時的プロセッサ可読媒体。
【請求項６】
前記１つまたは複数のデータ構造の内の少なくとも１つは、
前記サブ１ギガヘルツワイヤレスネットワークの動作帯域幅が２メガヘルツであり、１、２、または４つの空間ストリームが使用されるとき、９に等しい前記ＭＣＳインデックスが利用できないこと、
前記動作帯域幅が８メガヘルツであり、３つの空間ストリームが使用されるとき、ここにおいて、前記ＭＣＳインデックスが６であるとき、前記変調スキームは、６４−ＱＡＭＣであり、前記コーディングレートは、３／４であり、サブキャリアシンボル当たりの前記ビットの数は、６であること、
前記動作帯域幅が１６メガヘルツであり、３つの空間ストリームが使用されるとき、ここにおいて、前記ＭＣＳインデックスが９であるとき、前記変調スキームは、２５６値ＱＡＭであり、前記コーディングレートは、５／６であり、サブキャリアシンボル当たりの前記ビットの数は、８であること
を示す、請求項２に記載の非一時的プロセッサ可読媒体。
【請求項７】
特定の前記ＭＣＳインデックスは、非整数であるＯＦＤＭシンボル当たりの前記データビットの数、ＯＦＤＭシンボル当たりの前記データビットの数の指数、非整数である前記符号化器の数、またはＯＦＤＭシンボル当たりの前記コード化されたビットの数の指数、および非整数である前記符号化器の数に基づいて利用できない、請求項２に記載の非一時的プロセッサ可読媒体。
【請求項８】
前記データ構造の少なくとも１つは、少なくとも１つの帯域幅および少なくとも１つの空間ストリームに対して、
前記ＭＣＳインデックスが０であるとき、前記変調スキームは、ＢＰＳＫであり、前記コーディングレートが１／２であり、サブキャリアシンボル当たりの前記ビットの数が１であること、
前記ＭＣＳインデックスが１であるとき、前記変調スキームは、４位相偏移変調（ＱＰＳＫ）であり、前記コーディングレートは、１／２であり、サブキャリアシンボルあたりの前記ビットの数は、２であること、
前記ＭＣＳインデックスが２であるとき、前記変調スキームは、ＱＰＳＫであり、前記コーディングレートは、３／４であり、サブキャリアシンボル当たりの前記ビットの数は、２であること、
前記ＭＣＳインデックスが３であるとき、前記変調スキームは、１６値直交振幅変調（１６−ＱＡＭ）であり、前記コーディングレートは、１／２であり、サブキャリアシンボル当たりの前記ビットの数は、４であること、
前記ＭＣＳインデックスが４であるとき、前記変調スキームは、１６−ＱＡＭであり、前記コーディングレートは、３／４であり、サブキャリアシンボル当たりの前記ビットの数は、４であること、
前記ＭＣＳインデックスが５であるとき、前記変調スキームは、６４値ＱＡＭ（６４−ＱＡＭ）であり、前記コーディングレートは、２／３であり、サブキャリアシンボル当たりの前記ビットの数は、６であること、
前記ＭＣＳインデックスが６であるとき、前記変調スキームは、６４−ＱＡＭであり、前記コーディングレートは、３／４であり、サブキャリアシンボル当たりの前記ビットの数は、６であること、
前記ＭＣＳインデックスが７であるとき、前記変調スキームは、６４−ＱＡＭであり、前記コーディングレートは、５／６であり、サブキャリアシンボル当たりの前記ビットの数は、６であること、
前記ＭＣＳインデックスが８であるとき、前記変調スキームは、２５６値ＱＡＭ（２５６−ＱＡＭ）であり、前記コーディングレートは、３／４であり、サブキャリアシンボル当たりの前記ビットの数は、８であること、
前記ＭＣＳインデックスが９であるとき、前記変調スキームは、２５６値ＱＡＭであり、前記コーディングレートは、５／６であり、サブキャリアシンボル当たりの前記ビットの数は、８であること、または
これらの任意の組み合わせを示す、請求項１に記載の非一時的プロセッサ可読媒体。
【請求項９】
前記データ構造のうちの少なくとも１つは、
前記サブ１ギガヘルツワイヤレスネットワークの動作帯域幅が１メガヘルツであるとき、
前記データシンボルの数は２４であり、
前記パイロットシンボルの数は、２であり、
前記符号化器の数は１であること、
前記動作帯域幅が２メガヘルツであるとき、
前記データシンボルの数は５２であり、
前記符号化器の数は４であり、
前記符号化器の数は１であること、
前記動作帯域幅が４メガヘルツであるとき、
前記データシンボルの数は１０８であり、
前記パイロットシンボルの数は６であり、
前記符号化器の数は１または２であること、
前記動作帯域幅が８メガヘルツであるとき、
前記データシンボルの数は２３４であり、
前記パイロットシンボルの数は８であり、
前記符号化器の数は１、２、または３であること、
前記動作帯域幅が１６メガヘルツであるとき、
前記データシンボルの数は４６８であり、
前記パイロットシンボルの数は１６であり、
前記符号化器の数は１、２、３、４、または６であること
を示す、請求項２に記載の非一時的プロセッサ可読媒体。
【請求項１０】
前記１つまたは複数のデータ構造のうちの少なくとも１つは、特定のＭＣＳが利用できないことを示す、請求項１に記載の非一時的プロセッサ可読媒体。
【請求項１１】
前記サブ１ギガヘルツワイヤレスネットワークは、電気電子技術者協会（ＩＥＥＥ）８０２．１１ａｈプロトコルに従って動作する、請求項１に記載の非一時的プロセッサ可読媒体。
【請求項１２】
プロセッサによって実行されたとき、前記プロセッサに、
第１の帯域幅で動作しながら第１の数の空間ストリームを使用する前記サブ１ギガヘルツワイヤレスネットワークを介して第１のパケットを受信することと、
前記第１のパケットから第１のＭＣＳインデックスを抽出することと、
前記第１の帯域幅および前記空間ストリームの第１の数に対応する前記１つまたは複数のデータ構造のうちの第１のデータ構造を識別することと、
前記第１のＭＣＳインデックスおよび前記第１のデータ構造に基づいて前記受信したパケットの少なくとも１つの符号化特性を決定することと、
前記少なくとも１つの符号化特性に基づいて前記第１のパケットを復号することと
を行わせる、命令をさらに備える、請求項１に記載の非一時的プロセッサ可読媒体。
【請求項１３】
前記第１のＭＣＳインデックスは、前記第１のパケットの物理レイヤ（ＰＨＹ）プリアンブルの信号（ＳＩＧ）フィールドから抽出される、請求項１２に記載の非一時的プロセッサ可読媒体。
【請求項１４】
送信機で、特定の帯域幅で動作しながら特定の数の空間ストリームを使用するサブ１ギガヘルツワイヤレスネットワークを介してパケットを通信することに使用するために利用可能な複数の変調およびコーディングスキーム（ＭＣＳ）からＭＣＳを選択することと、ここにおいて、前記サブ１ギガヘルツワイヤレスネットワークは、１メガヘルツの帯域幅での動作をサポートする、
前記選択されたＭＣＳに対応するＭＣＳインデックスに基づいて、および前記少なくとも１つの符号化特性を示す１つまたは複数のデータ構造に基づいて、少なくとも１つの符号化特性を決定することと、ここにおいて、前記１つまたは複数のデータ構造のうちの少なくとも１つは、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
前記パケットに前記ＭＣＳインデックスを挿入することと、
前記少なくとも１つの符号化特性に基づいて前記パケットを符号化することと、
受信機に前記サブ１ギガヘルツワイヤレスネットワークを介して前記符号化されたパケットを送ることと
を備える、方法。
【請求項１５】
受信機で、特定の帯域幅で動作しながら特定の数の空間ストリームを使用するサブ１ギガヘルツワイヤレスネットワークを介して送られたパケットを受信することと、ここにおいて、前記サブ１ギガヘルツワイヤレスネットワークは、１メガヘルツの帯域幅での動作をサポートする、
前記受信されたパケットから変調およびコーディングスキーム（ＭＣＳ）インデックスを抽出することと、
前記受信機に記憶されたデータ構造を識別することと、ここにおいて前記データ構造は、前記特定の帯域幅および前記特定の数の空間ストリームに対応する、
前記受信されたパケットの少なくとも１つの符号化特性を、前記抽出されたＭＣＳインデックスおよび前記識別されたデータ構造に基づいて決定することと、ここにおいて、前記識別されたデータ構造は、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
前記少なくとも１つの符号化特性に基づいて前記受信されたパケットを復号することと
を備える、方法。
【請求項１６】
１つまたは複数のデータ構造を記憶するメモリと、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの前記１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示す、
前記メモリに結合されるプロセッサと、前記プロセッサは、
第１の帯域幅で動作しながら第１の数の空間ストリームを使用する前記サブ１ギガヘルツワイヤレスネットワークを介して受信された第１のパケットから第１のＭＣＳインデックスを抽出し、
前記受信されたパケットの少なくとも１つの符号化特性を、前記第１の帯域幅および前記第１の数の空間ストリームに対応する前記複数のデータ構造のうちの第１のデータ構造における前記第１のＭＣＳインデックスの検索に基づいて決定する、
ように構成され、ここにおいて、前記第１のデータ構造は、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
を備える、装置。
【請求項１７】
１つまたは複数のデータ構造を記憶するための手段と、ここにおいて、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの前記１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示し、前記１つまたは複数のデータ構造のうちの少なくとも１つは、前記１メガヘルツの帯域幅に対して、１つの空間ストリームが使用されるとき、
前記ＭＣＳインデックスが１０であるとき、変調スキームは、２位相偏移変調（ＢＰＳＫ）であり、サブキャリアシンボル当たりのビットの数は、１であり、直交周波数分割多重（ＯＦＤＭ）シンボル当たりのコード化されたビットの数は、２４であり、ＯＦＤＭシンボル当たりのデータビットの数は、６であることを示す、
前記パケットに含まれる特定のＭＣＳインデックスに基づいてパケットを処理するための手段と
を備える、装置。
【請求項１８】
前記処理するための手段は、前記ＭＣＳインデックスに基づいて前記パケットを符号化するように構成される符号化器を備える、請求項１７に記載の装置。
【請求項１９】
前記処理するための手段は、前記ＭＣＳインデックスに基づいて前記パケットを復号するように構成される復号器を備える、請求項１７に記載の装置。
【請求項２０】
前記サブ１ギガヘルツワイヤレスネットワークは、電気電子技術者協会（ＩＥＥＥ）８０２．１１ａｈプロトコルに従って動作する、請求項１７に記載の装置。
【手続補正２】
【補正対象書類名】明細書
【補正対象項目名】００８３
【補正方法】変更
【補正の内容】
【００８３】
[0093]開示された実施形態の上記の説明は、当業者が開示された実施形態を作成し使用することを可能にするために提供される。これらの実施形態に対する様々な修正形態は、当業者には容易に明らかであり、本明細書で定義された原理は、本開示の範囲から逸脱することなく他の実施形態に適用することができる。したがって、本開示は、本明細書で開示された実施形態に限定されるものではなく、以下の特許請求の範囲によって定義されるような原理および新規の特徴に一致する、可能な最大の範囲を与えられるべきである。
以下に、本願出願の当初の特許請求の範囲に記載された発明を付記する。
［Ｃ１］
サブ１ギガヘルツワイヤレスネットワークを介して通信する間使用するための１つまたは複数のデータ構造を記憶し、前記１つまたは複数のデータ構造は、前記サブ１ギガヘルツワイヤレスネットワークの１つまたは複数の利用可能な帯域幅および前記サブ１ギガヘルツワイヤレスネットワークの１つまたは複数の利用可能な空間ストリームに対応し、
前記サブ１ギガヘルツワイヤレスネットワークの前記１つまたは複数の利用可能な帯域幅は、１メガヘルツ帯域幅を含み、
各データ構造は、複数の変調およびコーディングスキーム（ＭＣＳ）インデックスの各々に対して、
前記ＭＣＳインデックスを含むパケットの変調スキームと、
前記パケットを符号化するコーディングレートと、
前記パケットにおけるサブキャリアシンボル当たりのビットの数と、
前記パケットにおけるデータシンボルの数と、
前記パケットにおけるパイロットシンボルの数と
を示す、非一時的プロセッサ可読媒体。
［Ｃ２］
各データ構造は、前記複数のＭＣＳインデックスの各々に対して、
前記パケットにおける直交周波数分割多重（ＯＦＤＭ）シンボル当たりのコード化されたビットの数と、
前記パケットにおけるＯＦＤＭシンボルあたりのデータビットの数と、
符号化器の数と、
前記パケットに関連付けられた少なくとも１つのデータレートと
をさらに示す、Ｃ１に記載の非一時的プロセッサ可読媒体。
［Ｃ３］
前記少なくとも１つのデータレートは、前記パケットにおける８マイクロ秒のガードインターバルの使用に関連する第１のデータレートと、前記パケットにおける４マイクロ秒のガードインターバルの使用に関連する第２のデータレートとを含む、Ｃ２に記載の非一時的プロセッサ可読媒体。
［Ｃ４］
前記データ構造の全ては、前記複数のＭＣＳインデックスの各々に対して、単一符号化器が前記パケットを符号化することを示す、Ｃ２に記載の非一時的プロセッサ可読媒体。
［Ｃ５］
前記１つまたは複数のデータ構造のうちの少なくとも１つは、特定のＭＣＳインデックスが利用できないことを示す、Ｃ２に記載の非一時的プロセッサ可読媒体。
［Ｃ６］
前記１つまたは複数のデータ構造は、前記１つまたは複数のデータ構造の内の少なくとも１つは、
前記サブ１ギガヘルツワイヤレスネットワークの動作帯域幅が２メガヘルツであり、１、２、または４つの空間ストリームが利用されるとき、９に等しいＭＣＳインデックスが利用できないこと、
前記動作帯域幅が８メガヘルツであり、３つの空間ストリームが利用されるとき、６に等しいＭＣＳインデックスが利用できないこと、
前記動作帯域幅が１６メガヘルツであり、３つの空間ストリームが利用されるとき、９に等しいＭＣＳインデックスが利用できないことを示す、Ｃ５に記載の非一時的プロセッサ可読媒体。
［Ｃ７］
前記特定のＭＣＳインデックスは、非整数であるＯＦＤＭシンボル当たりの前記データビットの数、ＯＦＤＭシンボル当たりの前記データビットの数の指数、非整数である前記符号化器の数、ＯＦＤＭシンボル当たりの前記コード化されたビットの数、および非整数である前記符号化器の数に基づいて利用できない、Ｃ５に記載の非一時的プロセッサ可読媒体。
［Ｃ８］
前記データ構造の少なくとも１つは、少なくとも１つの帯域幅および少なくとも１つの空間ストリームに対して、
前記ＭＣＳインデックスが０であるとき、前記変調スキームは、２位相偏移変調（ＢＰＳＫ）であり、前記コーディングレートが１／２であり、サブキャリアシンボル当たりの前記ビットの数が１であること、
前記ＭＣＳインデックスが１であるとき、前記変調スキームは、４位相偏移変調（ＱＰＳＫ）であり、前記コーディングレートは、１／２であり、サブキャリアシンボルあたりの前記ビットの数は、２であること、
前記ＭＣＳインデックスが２であるとき、前記変調スキームは、ＱＰＳＫであり、前記コーディングレートは、１／２であり、サブキャリアシンボル当たりの前記ビットの数は、２であること、
前記ＭＣＳインデックスが３であるとき、前記変調スキームは、１６値直交振幅変調（１６−ＱＡＭ）であり、前記コーディングレートは、１／２であり、サブキャリアシンボル当たりの前記ビットの数は、４であること、
前記ＭＣＳインデックスが４であるとき、前記変調スキームは、１６−ＱＡＭであり、前記コーディングレートは、３／４であり、サブキャリアシンボル当たりの前記ビットの数は、４であること、
前記ＭＣＳインデックスが５であるとき、前記変調スキームは、６４値ＱＡＭ（６４−ＱＡＭ）であり、前記コーディングレートは、２／３であり、サブキャリアシンボル当たりの前記ビットの数は、６であること、
前記ＭＣＳインデックスが６であるとき、前記変調スキームは、６４−ＱＡＭＣであり、前記コーディングレートは、３／４であり、サブキャリアシンボル当たりの前記ビットの数は、６であること、
前記ＭＣＳインデックスが７であるとき、前記変調スキームは、６４−ＱＡＭであり、前記コーディングレートは、５／６であり、サブキャリアシンボル当たりの前記ビットの数は、６であること、
前記ＭＣＳインデックスが８であるとき、前記変調スキームは、２５６値ＱＡＭであり、前記コーディングレートは、３／４であり、サブキャリアシンボル当たりの前記ビットの数は、８であること、
前記ＭＣＳインデックスが９であるとき、前記変調スキームは、２５６値ＱＡＭであり、前記コーディングレートは、５／６であり、サブキャリアシンボル当たりの前記ビットの数は、８であること、または
これらの任意の組み合わせを示す、Ｃ２に記載の非一時的プロセッサ可読媒体。
［Ｃ９］
前記データ構造のうちの少なくとも１つは、
前記サブ１ギガヘルツワイヤレスネットワークの動作帯域幅が１メガヘルツであるとき、
前記データシンボルの数は２４であり、
前記パイロットシンボルの数は、２であり、
前記符号化器の数は１であること、
前記動作帯域幅が２メガヘルツであるとき、
前記データシンボルの数は５２であり、
前記符号化器の数は４であり、
前記符号化器の数は１であること、
前記動作帯域幅が４メガヘルツであるとき、
前記データシンボルの数は１０８であり、
前記符号化器の数は６であり、
前記符号化器の数は１または２であること、
前記動作帯域幅が８メガヘルツであるとき、
前記データシンボルの数は２３４であり、
前記符号化器の数は８であり、
前記符号化器の数は１、２、または３であること、
前記動作帯域幅が１６メガヘルツであるとき、
前記データシンボルの数は４６８であり、
前記符号化器の数は１６であり、
前記符号化器の数は１、２、３、４、または６であることを示す、Ｃ２に記載の非一時的プロセッサ可読媒体。
［Ｃ１０］
前記データ構造のうちの少なくとも１つは、１メガヘルツの帯域幅に対して、１つの空間ストリームが使用されるとき、
前記ＭＣＳインデックスが１０であるとき、前記変調スキームは、２位相偏移変調（ＢＰＳＫ）であり、前記コーディングレートは、１／４であり、サブキャリアシンボル当たりの前記ビットの数は、１であり、ＯＦＤＭシンボル当たりの前記コード化されたビットの数は、２６であり、ＯＦＤＭシンボル当たりの前記データビットの数は、６であることを示す、Ｃ２に記載の非一時的プロセッサ可読媒体。
［Ｃ１１］
前記サブ１ギガヘルツワイヤレスネットワークは、電気電子技術者協会（ＩＥＥＥ）８０２．１１ａｈプロトコルに従って動作する、Ｃ１に記載の非一時的プロセッサ可読媒体。
［Ｃ１２］
プロセッサによって実行されたとき、前記プロセッサに、
第１の帯域幅で動作しながら第１の数の空間ストリームを使用する前記サブ１ギガヘルツワイヤレスネットワークを介して第１のパケットを受信することと、
前記第１のパケットから第１のＭＣＳインデックスを抽出することと、
前記第１の帯域幅および前記空間ストリームの第１の数に対応する前記１つまたは複数のデータ構造のうちの第１のデータ構造を識別することと、
前記第１のＭＣＳインデックスおよび前記第１のデータ構造に基づいて前記受信したパケットの少なくとも１つの符号化特性を決定することと、
前記少なくとも１つの符号化特性に基づいて前記第１のパケットを復号することと
を行わせる、命令をさらに備える、Ｃ１に記載の非一時的プロセッサ可読媒体。
［Ｃ１３］
前記第１のＭＣＳインデックスは、前記第１のパケットの物理レイヤ（ＰＨＹ）の信号（ＳＩＧ）フィールドから抽出される、Ｃ１２に記載の非一時的プロセッサ可読媒体。
［Ｃ１４］
送信機で、特定の帯域幅で動作しながら特定の数の空間ストリームを使用するサブ１ギガヘルツワイヤレスネットワークを介してパケットを通信することに利用するために利用可能な複数の変調およびコーディングスキーム（ＭＣＳ）からＭＣＳを選択することと、ここにおいて、前記サブ１ギガヘルツワイヤレスネットワークは、１メガヘルツの帯域幅での動作をサポートする、
前記選択されたＭＣＳに対応するＭＣＳインデックスに基づいて少なくとも１つの符号化特性を決定することと、
前記パケットに前記ＭＣＳインデックスを挿入することと、
前記少なくとも１つの符号化特性に基づいてパケットを符号化することと、
受信機に前記サブ１ギガヘルツワイヤレスネットワークを介して前記符号化されたパケットを送ることと
を備える、方法。
［Ｃ１５］
受信機で、特定の帯域幅で動作しながら特定の数の空間ストリームを使用するサブ１ギガヘルツワイヤレスネットワークを介して送られたパケットを受信することと、ここにおいて、前記サブ１ギガヘルツワイヤレスネットワークは、１メガヘルツの帯域幅での動作をサポートする、
前記受信されたパケットから変調およびコーディングスキーム（ＭＣＳ）インデックスを抽出することと、
前記受信機に記憶されたデータ構造を識別することと、ここにおいて前記データ構造は、前記特定の帯域幅および前記特定の数の空間ストリームに対応する、
前記受信されたパケットの少なくとも１つの符号化特性を、前記抽出されたＭＣＳインデックスおよび前記識別されたデータ構造に基づいて決定することと、
前記少なくとも１つの符号化特性に基づいて前記受信されたパケットを復号することと
を備える、方法。
［Ｃ１６］
１つまたは複数のデータ構造を記憶するメモリと、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示す、
前記メモリに結合されるプロセッサと、前記プロセッサは、
第１の帯域幅で動作しながら第１の数の空間ストリームを使用する前記サブ１ギガヘルツワイヤレスネットワークを介して受信された第１のパケットから第１のＭＣＳインデックスを抽出することと、
前記受信されたパケットの少なくとも１つの符号化特性を、前記第１の帯域幅および前記第１の数の空間ストリームに対応する前記複数のデータ構造のうちの第１のデータ構造における前記第１のＭＣＳの検索に基づいて決定することと
を備える、装置。
［Ｃ１７］
１つまたは複数のデータ構造を記憶するための手段と、ここにおいて、前記１つまたは複数のデータ構造は、サブ１ギガヘルツワイヤレスネットワークの１つまたは複数の利用可能な帯域幅および前記サブ１ギガヘルツワイヤレスネットワークの１つまたは複数の利用可能な空間ストリームに対応し、前記サブ１ギガヘルツワイヤレスネットワークの前記１つまたは複数の利用可能な帯域幅は、１メガヘルツの帯域幅を含み、各データ構造は、複数の変調およびコーディングスキーム（ＭＣＳ）インデックスの各々に対して、前記ＭＣＳインデックスを含むパケットの少なくとも１つの符号化特性を示す、
前記パケットに含まれる特定のＭＣＳインデックスに基づいてパケットを処理するための手段と
を備える、装置。
［Ｃ１８］
前記処理するための手段は、前記ＭＣＳインデックスに基づいて前記パケットを符号化するように構成される符号化器を備える、Ｃ１７に記載の装置。
［Ｃ１９］
前記処理するための手段は、前記ＭＣＳインデックスに基づいて前記パケットを復号するように構成される復号器を備える、Ｃ１７に記載の装置。
［Ｃ２０］
前記サブ１ギガヘルツワイヤレスネットワークは、電気電子技術者協会（ＩＥＥＥ）８０２．１１ａｈプロトコルに従って動作する、Ｃ１７に記載の装置。